(57)【要約】【課題】プライミング放電を安定して発生させることで、高精細化した場合やキセノン（Ｘｅ）分圧を上げた場合でも、初期化動作あるいはアドレス動作を安定させて良好な品質で画像表示させるプラズマディスプレイパネルを実現する。【解決手段】走査電極２２、維持電極２３およびデータ電極３２とで放電を行う主放電セル４０と、走査電極２２と前面基板２１または背面基板３１のいずれかに設けたプライミング電極３６とで放電を行うプライミング放電セル４１ａとを有し、プライミング放電セル４１ａの背面基板３１側に、アルカリ金属の酸化物、アルカリ土類金属の酸化物、または弗化物の少なくともいずれかとガラス材料とを含む材料層５０を設ける。【選択図】図１
2006059628.tif 000002
【特許請求の範囲】
【請求項１】
前面基板上に互いに平行となるように配置した走査電極および維持電極と、
前記前面基板に放電空間を挟んで対向配置される背面基板上に前記走査電極および前記維持電極と交差する方向に配置したデータ電極と、
前記背面基板上に隔壁により区画し形成された、前記走査電極、前記維持電極および前記データ電極とで放電を行う主放電空間と、前記走査電極と前記前面基板または前記背面基板のいずれかに設けたプライミング電極とで放電を行うプライミング放電空間とを有し、
前記プライミング放電空間の前記背面基板側に、アルカリ金属の酸化物およびアルカリ土類金属の酸化物および弗化物の中から選ばれる少なくとも一つの材料とガラス材料とを含む材料層を設けたことを特徴とするプラズマディスプレイパネル。
【請求項２】
材料層に含まれる、アルカリ金属の酸化物およびアルカリ土類金属の酸化物および弗化物の中から選ばれる少なくとも一つの材料が、プライミング放電空間に面して前記材料層の表面に露出していることを特徴とする請求項１に記載のプラズマディスプレイパネル。
【請求項３】
材料層が、ＭｇＯを主成分とする材料を含むことを特徴とする請求項１または請求項２に記載のプラズマディスプレイパネル。
【請求項４】
前面基板上に設けられた走査電極および維持電極と平行なプライミング電極を背面基板上に配置したことを特徴とする請求項１に記載のプラズマディスプレイパネル。
【請求項５】
背面基板上のデータ電極と同一面にプライミング電極を配置したことを特徴とする請求項１に記載のプラズマディスプレイパネル。
【発明の詳細な説明】
【技術分野】
【０００１】
本発明は、壁掛けテレビや大型モニターに用いられるプラズマディスプレイパネルに関する。
【背景技術】
【０００２】
ＡＣ型として代表的な交流面放電型プラズマディスプレイパネル（以下、ＰＤＰと呼ぶ）は、面放電を行う走査電極および維持電極を配列して形成したガラス基板からなる前面板と、データ電極を配列して形成したガラス基板からなる背面板とを、両電極がマトリックスを組むように、しかも間隙に放電空間を形成するように平行に対向配置し、その外周部をガラスフリットなどの封着材によって封着することにより構成されている。そして、基板間には、隔壁によって区画された放電セルが設けられ、この隔壁間のセル空間に蛍光体層が形成された構成である。このような構成のＰＤＰにおいては、ガス放電により紫外線を発生させ、この紫外線でＲ、Ｇ、Ｂの各色の蛍光体を励起して発光させることによりカラー表示を行っている（特許文献１参照）。
【０００３】
このＰＤＰは、１フィールド期間を複数のサブフィールドに分割し、発光させるサブフィールドの組み合わせによって駆動し階調表示を行う。各サブフィールドは初期化期間、アドレス期間および維持期間からなる。画像データを表示するためには、初期化期間、アドレス期間および維持期間でそれぞれ異なる信号波形を各電極に印加している。
【０００４】
初期化期間には、例えば、正のパルス電圧をすべての走査電極に印加し、走査電極および維持電極を覆う誘電体層上の保護層および蛍光体層上に必要な壁電荷を蓄積する。
【０００５】
アドレス期間では、すべての走査電極に、順次負の走査パルスを印加することにより走査し、表示データがある場合、走査電極を走査している間に、データ電極に正のデータパルスを印加すると、走査電極とデータ電極との間で放電が起こり、走査電極上の保護層の表面に壁電荷が形成される。
【０００６】
続く維持期間では、一定の期間、走査電極と維持電極との間に放電を維持するのに充分な電圧を印加する。これにより、走査電極と維持電極との間に放電プラズマが生成され、一定の期間、蛍光体層を励起発光させる。アドレス期間においてデータパルスが印加されなかった放電空間では、放電は発生せず蛍光体層の励起発光は起こらない。
【０００７】
このようなＰＤＰでは、アドレス期間の放電に大きな放電遅れが発生し、アドレス動作が不安定になる、あるいはアドレス動作を完全に行うためにアドレス時間を長く設定しアドレス期間に費やす時間が大きくなりすぎるといった課題があった。これら課題を解決するために、前面板に補助放電電極を設け前面板側の面内補助放電によって生じたプライミング放電で放電遅れを小さくするＰＤＰとその駆動方法が提案されている（特許文献２参照）。
【特許文献１】特開２００１−１９５９９０号公報
【特許文献２】特開２００２−２９７０９１号公報
【発明の開示】
【発明が解決しようとする課題】
【０００８】
しかしながら、これらＰＤＰにおいて、高精細化してライン数が増えたときには、さらにアドレス時間に費やす時間が長くなり、維持期間に費やす時間を減らさなければならず、高精細化したときに輝度の確保が難しいという課題が生じる。さらに、高輝度・高効率化を達成するために、キセノン（Ｘｅ）分圧を上げた場合においても放電開始電圧が上昇し、初期化放電が不安定になり、その結果、書込み不良を生じるおそれがあり、そのためアドレス動作の駆動電圧マージンが狭くなるという課題があった。
【０００９】
本発明は、これらの課題に鑑みなされたものであり、プライミング放電を安定して発生させることで、高精細化した場合やキセノン（Ｘｅ）分圧を上げた場合でも、初期化動作あるいはアドレス動作を安定させたＰＤＰを提供することを目的とする。
【課題を解決するための手段】
【００１０】
上述した課題を解決するために、本発明のＰＤＰは、前面基板上に互いに平行となるように配置した走査電極および維持電極と、前面基板に放電空間を挟んで対向配置される背面基板上に走査電極および維持電極と交差する方向に配置したデータ電極と、背面基板上に隔壁により区画し形成された、走査電極、維持電極およびデータ電極とで放電を行う主放電空間と、走査電極と前面基板または背面基板のいずれかに設けたプライミング電極とで放電を行うプライミング放電空間とを有し、プライミング放電空間の背面基板側に、アルカリ金属の酸化物およびアルカリ土類金属の酸化物および弗化物の中から選ばれる少なくとも一つの材料とガラス材料とを含む材料層を設けている。
【００１１】
この構成により、プライミング放電空間にアルカリ金属の酸化物、アルカリ土類金属の酸化物、または弗化物の少なくともいずれかとガラス材料とが混合された材料層を設けると、プライミング放電の放電電圧を大きく低減でき、さらに放電が発生しやすい条件を整えて放電の発生を均一化できるとともに、プライミング電極とプライミング放電空間との絶縁破壊を抑制して安定したプライミング放電を実現できる。したがって、プライミング放電の動作マージンの増加と放電電圧の低減などにより、クロストークなどの周囲への影響を抑制しつつ、プライミング放電を安定的に形成することで、アドレス特性に優れた高精細化に好適なＰＤＰを実現することができる。
【００１２】
さらに、材料層に含まれる、アルカリ金属の酸化物およびアルカリ土類金属の酸化物および弗化物の中から選ばれる少なくとも一つの材料が、プライミング放電空間に面して材料層の表面に露出していることが望ましく、プライミング放電の発生をさらに安定させることができる。
【００１３】
さらに、材料層が、ＭｇＯを主成分とする材料を含むことが望ましく、ＭｇＯを主成分とする材料層が電子放出性能を高めて、安定したプライミング放電を効果的かつ確実に形成することができる。
【００１４】
さらに、前面基板上に設けられた走査電極および維持電極と平行なプライミング電極を背面基板上に配置してもよく、アドレス特性を改善して隣接セルへのクロストークのない前面基板と背面基板との間でプライミング放電を形成する際に、プライミング放電空間に均一にプライミング放電を発生させることができるとともに、プライミング電極による絶縁破壊を抑制して安定したプライミング放電を実現することができる。
【００１５】
さらに、背面基板上のデータ電極と同一面にプライミング電極を配置してもよく、背面基板上へのプライミング電極の形成を容易にして、プライミング放電空間に均一にプライミング放電を発生させることができるとともに、プライミング電極による絶縁破壊を抑制して安定したプライミング放電を実現することができる。
【発明の効果】
【００１６】
以上のように、本発明によれば、プライミング放電を安定して発生させることで、高精細化した場合やキセノン（Ｘｅ）分圧を上げた場合でも、初期化動作あるいはアドレス動作を安定させて良好な品質で画像表示させるＰＤＰを実現することができる。
【発明を実施するための最良の形態】
【００１７】
以下、本発明の実施の形態におけるＰＤＰについて、図面を用いて説明する。
【００１８】
（第１の実施の形態）
図１は本発明の第１の実施の形態におけるＰＤＰを示す分解斜視図、図２は同ＰＤＰの断面図である。
【００１９】
図１に示すように、ＰＤＰ１０は前面板２０を構成するガラス製の前面基板２１と、背面板３０を構成するガラス製の背面基板３１とが放電空間を挟んで対向して配置され、その放電空間には放電によって紫外線を放射するガスとして、ネオン（Ｎｅ）およびキセノン（Ｘｅ）などが封入されている。前面基板２１上には、前面板誘電体層２４および保護層２５で覆われ、かつ、対をなす走査電極２２と維持電極２３とからなる帯状の電極群が、互いに平行となるように配置されている。この走査電極２２および維持電極２３は、それぞれ透明電極２２ａ、２３ａと、この透明電極２２ａ、２３ａ上に重なるように形成され、かつ導電性を高めるための銀（Ａｇ）などからなる金属母線２２ｂ、２３ｂとから構成されている。また、走査電極２２と維持電極２３とは、走査電極２２−走査電極２２−維持電極２３−維持電極２３・・・となるように２本ずつ交互に配列され、隣り合う２つの走査電極２２の間に補助電極２２ｂ’が形成されている。また、隣り合う２つの維持電極２３の間と走査電極２２の間には発光時のコントラストを高めるための光吸収層２８が設けられている。補助電極２２ｂ’は、ＰＤＰの非表示部（端部）で走査電極２２と接続されている。
【００２０】
背面基板３１上には、走査電極２２および維持電極２３と直交する方向に、複数の帯状のデータ電極３２が互いに平行となるように配置されている。また、これらのデータ電極３２を覆って背面板誘電体層３３が設けられている。背面基板３１上には、走査電極２２および維持電極２３とデータ電極３２とで形成される複数の主放電空間となる主放電セル４０とプライミング放電空間となるプライミング放電セル４１ａを区画するための隔壁３４が形成されている。隔壁３４は、前面基板２１に設けられた走査電極２２および維持電極２３と直交する方向、すなわちデータ電極３２と平行な方向に延びる縦隔壁３４ａと、この縦隔壁３４ａに交差するように設けて主放電セル４０を形成し、かつ主放電セル４０の間に隙間部４１を形成する横隔壁３４ｂとで構成されている。また、主放電セル４０には蛍光体層３５が設けられている。
【００２１】
背面基板３１の隙間部４１はデータ電極３２と直交する方向に連続的に形成され、走査電極２２同士が隣り合う部分に対応する隙間部４１にのみ、前面基板２１と背面基板３１間で放電を生じさせるためのプライミング電極３６がデータ電極３２と直交する方向に形成されてプライミング放電セル４１ａを形成している。プライミング電極３６は、データ電極３２を覆う背面板誘電体層３３上に形成されている。したがって、補助電極２２ｂ’と、背面基板３１側に形成されたプライミング電極３６との間でプライミング放電が行われる。なお、プライミング電極３６と補助電極２２ｂ’とは互いに平行に形成されている。
【００２２】
また、図１、図２に示すように、背面基板３１上のプライミング放電セル４１ａにおいて、プライミング電極３６を覆って２次電子放出係数の大なる材料とガラス材料とが混合された材料層５０が略均一な膜厚に形成されている。２次電子放出係数の大なる材料としては、アルカリ金属の酸化物（例えば、Ｃｓ2Ｏなど）、アルカリ土類金属の酸化物（例えば、ＭｇＯ、ＣａＯ、ＳｒＯ、ＢａＯなど）、または弗化物（例えば、ＬｉＦ、ＣａＦ2、ＭｇＦ2など）の少なくともいずれかを含む材料との使用が考えられる。また、ガラス材料としては、ＺｎＯ−Ｂ2Ｏ3−ＳｉＯ2系の混合物、ＰｂＯ−Ｂ2Ｏ3−ＳｉＯ2系の混合物、ＰｂＯ−ＺｎＯ−Ｂ2Ｏ3−ＳｉＯ2系の混合物、Ｂｉ2Ｏ3−Ｂ2Ｏ3−ＳｉＯ2系の混合物などが用いられる。
【００２３】
次に、ＰＤＰに画像データを表示させる方法について図３を用いて説明する。図３は、本発明の第１の実施の形態におけるＰＤＰを駆動するための駆動波形の一例を示す波形図である。ＰＤＰを駆動する方法として、１フィールド期間を２進法に基づいた発光期間の重みを持った複数のサブフィールドに分割し、発光させるサブフィールドの組み合わせによって階調表示を行っている。各サブフィールドは初期化期間、アドレス期間および維持期間からなる。
【００２４】
まず、初期化期間において、プライミング電極Ｐｒ（図１のプライミング電極３６）が形成されたプライミング放電空間（図１のプライミング放電セル４１ａ）では、正のパルス電圧をすべての走査電極Ｙ（図１の走査電極２２）に印加し、補助電極（図１の補助電極２２ｂ’）とプライミング電極Ｐｒとの間で初期化が行われる。次のアドレス期間においては、プライミング電極Ｐｒには正の電位が常に印加される。このため、プライミング放電セル４１ａにおいては、走査電極Ｙｎに走査パルスＳＰｎが印加されたときに、プライミング電極Ｐｒと補助電極との間でプライミング放電が発生する。
【００２５】
次に、ｎ＋１番目の放電セルの走査電極Ｙｎ＋１に走査パルスＳＰｎ＋１が印加されるが、このときには直前にプライミング放電が起こっているために、ｎ＋１番目の放電セルのアドレス時の放電遅れも小さくなる。なお、ここでは、ある１フィールドの駆動シーケンスのみの説明を行ったが、他のサブフィールドにおける動作原理も同様である。図３に示す駆動波形において、アドレス期間にプライミング電極Ｐｒに正の電圧を印加することによって、上述した動作をより確実に起こすことができる。なお、アドレス期間のプライミング電極Ｐｒの印加電圧Ｖｐｒは、データ電極Ｄ（図１のデータ電極３２）に印加するデータ電圧値Ｖｄよりも大きな値に設定するのが望ましい。
【００２６】
このようにして、本実施の形態では、プライミング放電は、前面基板２１に設けられた補助電極２２ｂ’と背面基板３１に設けられたプライミング電極３６との間で上下方向に発生させている。しかも、背面基板３１のプライミング放電セル４１ａに２次電子放出係数の大なる材料とガラス材料とを混合した材料層５０を形成している。したがって、補助電極２２ｂ’から放出された電子は背面基板３１側の材料層５０に当たるが、材料層５０が２次電子放出係数の大きな材料であるため、材料層５０から２次電子を放出させプライミング放電セル４１ａ内に２次電子を供給してプライミング放電の発生を均一化したうえ、放電を促進することができる。
【００２７】
したがって、従来と同様の動作マージンを確保しつつ放電電圧を低減することにより、放電の強度を小さくしてクロストークなどのプライミング放電による他への影響を抑制することができる。また、従来と同じ放電電圧とする場合は、従来よりも放電の動作マージンを大きくすることができる。もちろん、印加電圧を調整することにより、クロストークの抑制効果と動作マージン増大の効果を併用することもできる。このことにより、高精細度のＰＤＰにおいても、アドレス特性をより安定化させることができる。
【００２８】
一方、このようなプライミング放電を用いてアドレス動作の特性を安定化させる場合、プライミング放電そのものを安定的に形成することが重要である。例えば、プライミング電極３６とプライミング放電セル４１ａの放電空間とを絶縁している材料層５０の絶縁耐圧が不充分あるいは絶縁破壊を起こす場合などは、画像表示に対して重大な影響を与える。すなわち、プライミング電極３６上の材料層５０に絶縁破壊などが生じると、絶縁破壊した部分で異常に強いプライミング放電を発生し、これがプライミング放電セル４１ａにおける異常放電となり主放電セル４０において誤放電を誘引する。この誤放電は複数セルの範囲に及ぶため、表示画面において巨大な輝点として観察され、ＰＤＰの表示品質を著しく低下させる。
【００２９】
本発明の第１の実施の形態では、２次電子放出係数が大きい材料として、ＡＣ型ＰＤＰの材料として使用実績があり、ネオン（Ｎｅ）およびキセノン（Ｘｅ）ガスを封入した場合に２次電子放出係数が大きく耐久性に優れた酸化マグネシウム（ＭｇＯ）と上述のガラス材料とにより構成された材料層５０を形成している。さらに、これらの２次電子放出係数の大きい材料が材料層５０の表面に露出するように形成している。したがって、材料層５０は、プライミング電極３６と補助電極２２ｂ’との間に電圧を印加した場合に、材料層５０からプライミング放電セル４１ａ内に効果的に２次電子を放出する機能を有している。この結果、本実施の形態では、プライミング放電セル４１ａの長手方向に連続して形成された材料層５０からプライミング放電セル４１ａ内に均一に２次電子を供給することができる。したがって、細長い形状を有するプライミング放電セル４１ａにおけるプライミング放電のバラツキを抑制し、各主放電セル４０に対して均一なプライミング放電を発生させることができる。また、プライミング放電の発生を促進し、プライミング放電に印加すべき電圧を低減することができる。
【００３０】
また、本発明の第１の実施の形態では、材料層５０にガラス材料も含んでいる。そのため、プライミング電極３６とプライミング放電セル４１ａ空間との絶縁性を確保して、材料層５０の絶縁破壊を抑制することができるため、異常に強いプライミング放電などを防止し、表示画面において発生する巨大な輝点などを防止し、表示品質の高い画像表示を実現することが可能となる。
【００３１】
図４は材料層５０の詳細を示す断面図である。図４（ａ）には、材料層５０として、ガラス材料５１と２次電子放出係数の大きな、例えばＭｇＯなどの酸化物５２が均一に混合され、所定の膜厚を有してプライミング電極３６を覆って形成されている例を示している。また、この場合、プライミング放電空間側の材料層５０の表面には、ＭｇＯが露出して形成されるように構成している。
【００３２】
また、図４（ｂ）には、材料層５０の構成としての別の例を示しており、プライミング電極３６の上部にはガラス材料層５３を所定厚さ形成し、さらにその上にＭｇＯなどの酸化物層５４が形成されている２層構造の例を示している。
【００３３】
さらに、図４（ｃ）には、図４（ｂ）に示すガラス材料層５３をさらに多層構造とし、いわゆるガラス材料を塗布して焼成固化後に、その膜内に気泡が存在する非脱泡型と気泡が存在しない脱泡型の２層あるいは多層構造とした例である。この場合には、脱泡型ガラス材料層５５と非脱泡型ガラス材料層５６の上に、酸化物層５７が形成され、絶縁性能を脱泡型ガラス材料層５５で向上させることができる。
【００３４】
また、これらの材料層５０は、ガラス材料粒子や酸化物粒子などを含むペースト材料をノズルからプライミング放電セル４１ａ内に充填し、所定の温度で焼成することによって形成することが可能である。
【００３５】
このように、本発明の第１の実施の形態によれば、プライミング放電を安定的に形成することで、アドレス特性に優れ、高画質表示が可能な高精細化に好適なＰＤＰを実現することができる。
【００３６】
（第２の実施の形態）
図５は本発明の第２の実施の形態におけるＰＤＰを示す分解斜視図、図６は同ＰＤＰの断面図である。本発明の第２の実施の形態が第１の実施の形態と異なるのは背面板３０の構成であり、前面板２０の構成は同じであるため背面板３０の構成について説明する。
【００３７】
図５に示すように、背面板３０の背面基板３１上には、走査電極２２および維持電極２３と交差する方向に、データ電極３２およびプライミング電極７０が交互にかつ互いに平行に複数形成されている。そして、データ電極３２およびプライミング電極７０を覆うように背面板誘電体層３３が形成されている。
【００３８】
背面板誘電体層３３上には隔壁３４が形成され、隔壁３４は放電空間を区画して、走査電極２２および維持電極２３とデータ電極３２とを有する複数の主放電セル４０を形成している。隔壁３４は、図５に示すように、プライミング電極７０の上部に配置されてプライミング電極７０と平行な方向に延びる縦隔壁３４ａと、走査電極２２および維持電極２３と平行な方向に延びて主放電セル４０の間に隙間部４１を形成する横隔壁３４ｂとで構成されている。したがって、主放電セル４０は、横隔壁３４ｂと、この横隔壁３４ｂに交差するように設けられた縦隔壁３４ａとにより格子状に形成されている。
【００３９】
隙間部４１は、横隔壁３４ｂによって区画され主放電セル４０と隣接して形成される。また、前面基板２１上には走査電極２２と維持電極２３とが２本ずつ交互に対で形成されているので、隙間部４１として、２本の走査電極２２が隣り合う側に位置した走査電極側隙間部４１ａと、２本の維持電極２３が隣り合う側に位置した維持電極側隙間部４１ｂとが形成される。そして、それらは主放電セル４０を挟んで交互に並んだ構成となる。
【００４０】
さらに、維持電極側隙間部４１ｂにおいて放電の発生はないが、走査電極側隙間部４１ａにおいては、放電空間を挟んで対向した補助電極２２ｂ’とプライミング電極７０との間でプライミング放電が発生する。すなわち、走査電極側隙間部４１ａはプライミング放電セルとしての働きを有する（以下、プライミング放電セル４１ａと表記する）。
【００４１】
また、隔壁３４の頂部は前面基板２１に当接するように平坦に形成されている。これは、隣接する主放電セル４０とプライミング放電セル４１ａとの相互干渉を防ぐためであり、特に、アドレス期間において発生するプライミング放電の影響を受けて隣接する主放電セル４０に誤書込みを生じるなどの誤動作を防ぐためである。さらには、プライミング放電に伴い、プライミング放電セル４１ａに隣接する主放電セル４０の壁電荷が減少し書込み不良を生じるなどの誤動作を防ぐためである。
【００４２】
また、図５に示すように、主放電セル４０には蛍光体層３５がそれぞれの隔壁３４側面と背面板誘電体層３３上に形成されている。蛍光体層３５は背面板３０に設けられたそれぞれのデータ電極３２に対応して、紫外線によって赤色、青色、緑色に発光する蛍光体層３５が交互に設けられ、同一データ電極３２上に設けられた主放電セル４０には同一色の蛍光体層３５が形成されている。なお、図５ではプライミング放電セル４１ａ側に蛍光体層３５を形成していないが、これは、放電を阻害する働きのある蛍光体層を設けないことでプライミング放電を発生しやすくするためである。また、上述の説明ではデータ電極３２およびプライミング電極７０を覆うように背面板誘電体層３３が形成されているが、この背面板誘電体層３３は形成しなくてもよい。
【００４３】
ここで、図面を用いて隔壁３４とデータ電極３２およびプライミング電極７０との配置位置について説明する。図７は、本発明の第２の実施の形態におけるＰＤＰ１０の背面板３０の要部の平面透視図である。
【００４４】
図７に示すように、本発明の第２の実施の形態においては、データ電極３２とプライミング電極７０とは、同一平面上に、交互にかつ互いに平行に配列されている。さらに、プライミング電極７０は縦隔壁３４ａの下を通るように縦隔壁３４ａに沿って配置されている。そして、プライミング電極７０の電極幅は縦隔壁３４ａの幅以下となるように形成されている。したがって、プライミング電極７０は縦隔壁３４ａの下に縦隔壁３４ａに隠れるように配置されるので、縦隔壁３４ａが形成されないプライミング放電セル４１ａを除き、放電空間とは対向しない。すなわち、プライミング電極７０は、プライミング放電セル４１ａにおいてのみ放電空間を挟んで補助電極２２ｂ’と対向し、それ以外の領域では縦隔壁３４ａの下に隠れる構成となっている。そのため、プライミング放電セル４１ａ以外の領域で、プライミング電極７０と走査電極２２または維持電極２３との間で不要な放電を発生する可能性は極めて低く、プライミング放電セル４１ａにおいてのみ、プライミング電極７０と補助電極２２ｂ’との間で安定してプライミング放電を発生することができる。
【００４５】
また、図６に示すように、背面基板３１上のプライミング放電セル４１ａには、第１の実施の形態と同様に、２次電子放出係数の大なる材料とガラス材料とが混合された材料層５０が略均一な膜厚に形成されている。２次電子放出係数の大なる材料としては、アルカリ金属の酸化物（例えば、Ｃｓ2Ｏなど）、アルカリ土類金属の酸化物（例えば、ＭｇＯ、ＣａＯ、ＳｒＯ、ＢａＯなど）、または弗化物（例えば、ＬｉＦ、ＣａＦ2、ＭｇＦ2など）の少なくともいずれかを含む材料との使用が考えられる。また、ガラス材料としては、ＺｎＯ−Ｂ2Ｏ3−ＳｉＯ2系の混合物、ＰｂＯ−Ｂ2Ｏ3−ＳｉＯ2系の混合物、ＰｂＯ−ＺｎＯ−Ｂ2Ｏ3−ＳｉＯ2系の混合物、Ｂｉ2Ｏ3−Ｂ2Ｏ3−ＳｉＯ2系の混合物などが用いられる。さらに、材料層５０の構成や形成方法などについても第１の実施の形態と同様としている。
【００４６】
以上のように、第２の実施の形態では、プライミング電極７０の配置位置が第１の実施の形態と異なるのみで、その駆動方法なども同様である。したがって、材料層５０は、プライミング電極７０と補助電極２２ｂ’との間に電圧を印加した場合に、材料層５０からプライミング放電セル４１ａ内に効果的に２次電子を放出する機能を有している。この結果、本実施の形態では、プライミング放電セル４１ａの長手方向に連続して形成された材料層５０からプライミング放電セル４１ａ内に均一に２次電子を供給することができる。したがって、細長い形状を有するプライミング放電セル４１ａにおけるプライミング放電のバラツキを抑制し、各主放電セル４０に対して均一なプライミング放電を発生させることができる。また、プライミング放電の発生を促進し、プライミング放電に印加すべき電圧を低減することができる。
【００４７】
また、本発明では、材料層５０にガラス材料も含んでいる。そのため、プライミング電極７０とプライミング放電セル４１ａ空間との絶縁性を確保して、材料層５０の絶縁破壊を抑制することができるため、異常に強いプライミング放電などを防止し、表示画面において発生する巨大な輝点などを防止し、表示品質の高い画像表示を実現することが可能となる。
【００４８】
さらに、本発明の第２の実施の形態では、アドレス電極３２と平行なプライミング電極７０を背面基板３１の同一平面状に配置しているため、背面基板３１上へのプライミング電極７０の形成を容易にすることができる。
【００４９】
（第３の実施の形態）
図８は本発明の第３の実施の形態におけるＰＤＰを示す分解斜視図、図９は同ＰＤＰの断面図である。本発明の第３の実施の形態が第１の実施の形態あるいは第２の実施の形態と異なるのは、前面板２０にプライミング電極８０を設けていることである。
【００５０】
前面板２０の前面基板２１上には、走査電極２２と維持電極２３とが、維持電極２３−走査電極２２−走査電極２２−維持電極２３−・・・となるように２本ずつ交互にかつ互いに平行に対をなして複数形成されている。走査電極２２と維持電極２３とはそれぞれ透明電極２２ａ、２３ａと、透明電極２２ａ、２３ａ上に重なるように形成された金属母線２２ｂ、２３ｂとから構成されている。隣り合う走査電極２２−走査電極２２の間、および維持電極２３−維持電極２３の間には発光時のコントラストを高めるために黒色材料などからなる光吸収層２８が設けられている。
【００５１】
走査電極２２同士が隣り合う光吸収層２８上には、走査電極２２と平行に延びる１本の電極が隣り合う２本の走査電極２２の一方の金属母線２２ｂに電気的に接続されて形成された補助電極２２ｂ’が配置されている。そして、これらの走査電極２２、維持電極２３および光吸収層２８を覆うように鉛−ホウ素（Ｐｂ−Ｂ）系ガラスなどからなる前面板誘電体層２４が形成されている。
【００５２】
また、前面板誘電体層２４上には、プライミング電極８０が走査電極２２と平行に複数形成されている。そして、プライミング電極８０を覆うようにＭｇＯなどからなる保護層２５が設けられている。
【００５３】
一方、背面板３０の背面基板３１上には、走査電極２２および維持電極２３と交差する方向に、データ電極３２が複数形成されている。そして、データ電極３２を覆うように背面板誘電体層３３が形成されている。背面板誘電体層３３上には隔壁３４が形成され、隔壁３４は放電空間を区画して、走査電極２２および維持電極２３とデータ電極３２とを有する複数の主放電セル４０を形成している。隔壁３４は、図８に示すように、データ電極３２と平行な方向に延びる縦隔壁３４ａと、走査電極２２および維持電極２３と平行な方向に延び、主放電セル４０の間に隙間部４１を形成する横隔壁３４ｂとで構成されている。したがって、主放電セル４０は、横隔壁３４ｂと、この横隔壁３４ｂに交差するように設けられた縦隔壁３４ａとにより格子状に形成されている。
【００５４】
隙間部４１は、横隔壁３４ｂによって区画され主放電セル４０と隣接して形成される。また、前面基板２１上には走査電極２２と維持電極２３とが２本ずつ交互に対をなして形成されているので、隙間部４１として、２本の走査電極２２が隣り合う側に位置した走査電極側隙間部４１ａと、２本の維持電極２３が隣り合う側に位置した維持電極側隙間部４１ｂとが形成される。そして、それらは主放電セル４０を挟んで、交互に並んだ構成となる。
【００５５】
さらに、維持電極側隙間部４１ｂにおいて放電の発生はないが、走査電極側隙間部４１ａにおいては、走査電極２２の金属母線２２ｂに電気的に接続されて形成された補助電極２２ｂ’とプライミング電極８０との間でプライミング放電が発生する。すなわち、走査電極側隙間部４１ａはプライミング放電セル４１ａとしての働きを有する。
【００５６】
なお、背面板３０に設けられた蛍光体層３５などの形状や作用は第１の実施の形態あるいは第２の実施の形態と同様であるので説明は省略する。
【００５７】
また、図９に示すように、背面基板３１上のプライミング放電セル４１ａには、第１の実施の形態と同様に、２次電子放出係数の大なる材料とガラス材料とが混合された材料層５０が略均一な膜厚に形成されている。２次電子放出係数の大なる材料としては、アルカリ金属の酸化物（例えば、Ｃｓ2Ｏなど）、アルカリ土類金属の酸化物（例えば、ＭｇＯ、ＣａＯ、ＳｒＯ、ＢａＯなど）、または弗化物（例えば、ＬｉＦ、ＣａＦ2、ＭｇＦ2など）の少なくともいずれかを含む材料との使用が考えられる。また、ガラス材料としては、ＺｎＯ−Ｂ2Ｏ3−ＳｉＯ2系の混合物、ＰｂＯ−Ｂ2Ｏ3−ＳｉＯ2系の混合物、ＰｂＯ−ＺｎＯ−Ｂ2Ｏ3−ＳｉＯ2系の混合物、Ｂｉ2Ｏ3−Ｂ2Ｏ3−ＳｉＯ2系の混合物などが用いられる。さらに、材料層５０の構成や形成方法などについても第１の実施の形態あるいは第２の実施の形態と同様としている。
【００５８】
また、このような第３の実施の形態では、駆動方法は第１の実施の形態で示した図３の駆動方法において維持期間におけるプライミング電極８０に印加する駆動波形が異なるのみで他は同様である。
【００５９】
本発明の第３の実施の形態では、背面板３０側にプライミング電極８０を形成していないため、第１の実施の形態や第２の実施の形態で述べたような前面基板２１と背面基板３１との対向放電プライミング放電に対する放電の安定性や絶縁性確保は期待できない。しかしながら、前面基板２１側で形成されるプライミング放電セル４１ａのサイズを小さくでき、安定したプライミング放電を形成するとともに、特に、初期化期間、アドレス期間、維持期間などの放電においてプライミング放電セル４１ａにおける絶縁破壊を抑制して安定放電を形成することができる。
【００６０】
なお、走査電極２２とさらに前面基板２１側に設けたプライミング電極８０とでプライミング放電を行う他の例としては、相隣り合う走査電極２２同士でプライミング放電を発生させる構成もあるが、本発明はこのような場合にも上述の効果を発現することができる。
【産業上の利用可能性】
【００６１】
以上のように本発明によれば、プライミング放電を安定して発生させることで、高精細化した場合やキセノン（Ｘｅ）分圧を上げた場合でも、初期化動作あるいはアドレス動作を安定させて良好な品質で画像表示させることができるので、壁掛けテレビや大型モニターなどに用いられるプラズマディスプレイ装置などに有用である。
【図面の簡単な説明】
【００６２】
【図１】本発明の第１の実施の形態におけるＰＤＰを示す分解斜視図
【図２】同ＰＤＰの断面図
【図３】同ＰＤＰを駆動するための駆動波形の一例を示す波形図
【図４】（ａ）同ＰＤＰの材料層としてガラス材料と酸化物とが混合された断面図（ｂ）同ＰＤＰの材料層としてガラス材料層と酸化物層との２層構造を示す断面図（ｃ）同ＰＤＰの材料層としてガラス材料層が多層構造を示す断面図
【図５】本発明の第２の実施の形態におけるＰＤＰを示す分解斜視図
【図６】同ＰＤＰの断面図
【図７】同ＰＤＰの背面基板の要部の平面透視図
【図８】本発明の第３の実施の形態におけるＰＤＰを示す分解斜視図
【図９】同ＰＤＰの断面図
【符号の説明】
【００６３】
１０    ＰＤＰ
２０    前面板
２１    前面基板
２２    走査電極
２２ａ，２３ａ    透明電極
２２ｂ，２３ｂ    金属母線
２２ｂ’    補助電極
２３    維持電極
２４    前面板誘電体層
２５    保護層
２８    光吸収層
３０    背面板
３１    背面基板
３２    データ電極
３３    背面板誘電体層
３４    隔壁
３４ａ    縦隔壁
３４ｂ    横隔壁
３５    蛍光体層
３６，７０，８０    プライミング電極
４０    主放電セル
４１    隙間部
４１ａ    走査電極側隙間部（プライミング放電セル）
４１ｂ    維持電極側隙間部
５０    材料層
５１    ガラス材料
５２    酸化物
５３    ガラス材料層
５４，５７    酸化物層
５５    脱泡型ガラス材料層
５６    非脱泡型ガラス材料層
【図１】
2006059628.tif 000003
【図２】
2006059628.tif 000004
【図３】
2006059628.tif 000005
【図４】
2006059628.tif 000006
【図５】
2006059628.tif 000007
【図６】
2006059628.tif 000008
【図７】
2006059628.tif 000009
【図８】
2006059628.tif 000010
【図９】
2006059628.tif 000011